(57)【要約】      （修正有）【課題】コンテナへの荷積み作業および荷降ろし作業がし易く、収蔵後のコンテナ内の過多なデッドスペースが生じないことから荷崩れを防止し得る保冷容器の提供。【解決手段】大型魚を収容して保冷する略直方体形状の保冷容器２０であって、飛行機の貨物室に格納されるコンテナ１の収蔵空間に、該収蔵空間を形成する底壁の幅方向に配列可能で且つ配列毎に高さ方向に段積み可能であり、前記収蔵空間に最大限だけ配列し配列毎に最大限だけ段積みした状態で、各配列を構成する段積み容器群の幅方向少なくとも一方側に手を挿入可能な隙間２３、２４、２５が形成される構成。【選択図】図１
2013023254.tif 000002
【特許請求の範囲】
【請求項１】
大型魚を収容して保冷する略直方体形状の保冷容器であって、
飛行機の貨物室に格納されるコンテナの収蔵空間に、該収蔵空間を形成する底壁の幅方向に配列可能で且つ配列毎に高さ方向に段積み可能であり、
前記収蔵空間に最大限だけ配列し配列毎に最大限だけ段積みした状態で、各配列を構成する段積み容器群の幅方向少なくとも一方側に手を挿入可能な隙間が形成されることを特徴とする保冷容器。
【請求項２】
底壁は下段壁と、該下段壁の幅方向両側のうちの少なくとも一方側にあって前記下段壁よりも高い位置で下段壁と平行に設けられる上段壁とを備え、前記下段壁及び上段壁の双方に段積みされることを特徴とする請求項１記載の保冷容器。
【請求項３】
収蔵空間に、請求項１または請求項２記載の保冷容器を最大限だけ配列し配列毎に最大限だけ積み重ねて収蔵していることを特徴とするコンテナ。
【発明の詳細な説明】
【技術分野】
【０００１】
本発明は、マグロ等の大型魚を保冷状態で収容して目的の場所まで輸送するのに用いる保冷容器、及び該保冷容器を収蔵したコンテナに関する。
【背景技術】
【０００２】
この種の保冷容器として、下記特許文献１に示す技術が提案されている。該保冷容器は、容器本体と容器本体の上面の開口を覆う蓋とからなり、大型魚の大きさに応じた大きさの、直方体形状の箱である。
【０００３】
ところで近年、例えば養殖の大型魚を全国的規模で目的場所まで輸送することが行われるようになった。そして、大型魚は目的地に到着するまで鮮度を維持する必要があり、したがって輸送はできるだけ短時間であることが好ましい。このため、目的地が遠隔地である場合には、空輸が多用される。
【０００４】
大型魚を収容した保冷容器を空輸する場合、保冷容器は飛行機の貨物室に（着脱自在に）格納されるコンテナに収蔵される。そして、輸送コストを考慮すると、１つのコンテナにはできるだけ多くの保冷容器を収蔵することが好ましい。
【先行技術文献】
【特許文献】
【０００５】
【特許文献１】特開２００６−１５１４２１号公報
【発明の概要】
【発明が解決しようとする課題】
【０００６】
ところで、飛行機の貨物室の断面形状は、飛行機の機体の断面形状に対応した形状（機体の断面形状に支配された形状）に形成されている。したがって、このような貨物室に搭載される前記コンテナの断面形状も、機体の断面形状に対応した形状である。
【０００７】
しかしながら、保冷容器は直方体形状の箱である。したがって、コンテナの断面形状によっては、複数の保冷容器をコンテナ内へしっくり収蔵するよう荷積みする作業がむずかしく、保冷容器の荷降ろし作業もしにくい。また、コンテナの断面形状によっては、保冷容器収蔵後のコンテナ内に過多なデッドスペースが発生し、そうなると保冷容器が空輸中にコンテナ内で大きく動いて保冷容器が荷崩れすることがあった。
【０００８】
そこで本発明は、上記問題に鑑み、コンテナへの荷積み作業および荷降ろし作業がし易く、収蔵後のコンテナ内の過多なデッドスペースが生じないことから荷崩れを防止し得る保冷容器、及び保冷容器を収蔵したコンテナの提供を目的とする。
【課題を解決するための手段】
【０００９】
本発明は、大型魚を収容して保冷する略直方体形状の保冷容器であって、飛行機の貨物室に格納されるコンテナの収蔵空間に、該収蔵空間を形成する底壁の幅方向に配列可能で且つ配列毎に高さ方向に段積み可能であり、前記収蔵空間に最大限だけ配列し配列毎に最大限だけ段積みした状態で、各配列を構成する段積み容器群の幅方向少なくとも一方側に手を挿入可能な隙間が形成されることを特徴としている。
【００１０】
上記構成において、コンテナの収蔵空間を形成する底壁に配列する場合や、配列毎に段積みする場合に、収蔵空間に最大限だけ配列し配列毎に最大限だけ段積みした状態で容器群の幅方向両側に形成される隙間となる空間に手を挿入することで、作業者は保冷容器を収蔵し（荷積みし）、保冷容器が収蔵されている状態では隙間に手を入れて荷降ろしする。
【００１１】
また、収蔵空間に最大限だけ配列し配列毎に最大限だけ段積みした状態で容器群の幅方向両側に手を挿入することができる隙間がある一方で、例えば１個あるいはそれ以上の保冷容器に相当するような過多なデッドスペースがないから、空輸中に保冷容器が位置ずれしても荷崩れしない。
【００１２】
本発明の保冷容器では、底壁は下段壁と、該下段壁の幅方向両側のうちの少なくとも一方側にあって前記下段壁よりも高い位置で下段壁と平行に設けられる上段壁とを備え、前記下段壁及び上段壁の双方に段積みされる構成を採用することができる。
【００１３】
上記構成の保冷容器によれば、段差のある下段壁と上段壁があるコンテナでも、下段壁と上段壁の双方に段積みすることで収蔵空間を効率的に利用する収蔵ができる。
【００１４】
本発明のコンテナは、収蔵空間に、上記何れかの保冷容器を最大限だけ配列し配列毎に最大限だけ積み重ねて収蔵していることを特徴としている。このコンテナでは、容器群の幅方向少なくとも一方側に形成された隙間に手を挿入することで、作業者は保冷容器を荷降ろしする。
【００１５】
また、このコンテナでは、収蔵空間に最大限だけ配列し配列毎に最大限だけ段積みした状態で容器群の幅方向少なくとも一方側に手を挿入することができる隙間が形成される一方で、例えば１個あるいはそれ以上の保冷容器に相当する過多なデッドスペースがないから、空輸中に保冷容器が位置ずれしても荷崩れしない。
【発明の効果】
【００１６】
本発明の保冷容器は、飛行機の貨物室に格納されるコンテナの収蔵空間に最大限だけ配列し配列毎に最大限だけ段積みした状態で、各配列を構成する段積み容器群の幅方向少なくとも一方側に手を挿入可能な隙間が形成されるから、作業者は前記隙間となる空間に手を挿入することで保冷容器を収蔵空間に容易に荷積みすることができ、保冷容器が収蔵されている状態では隙間に手を入れることで容易に荷降ろしすることができ、また、過多なデッドスペースをなくして荷崩れを防止することができるという効果を奏する。
【００１７】
本発明のコンテナは、収蔵空間に最大限だけ配列し配列毎に最大限だけ段積みした状態で、各配列を構成する段積み容器群の幅方向少なくとも一方側に手を挿入可能な隙間が形成される保冷容器を収蔵しているから、前記隙間に手を入れることで容易に保冷容器を荷降ろしすることができ、また、過多なデッドスペースがないから荷崩れを防止できるという効果を奏する。
【図面の簡単な説明】
【００１８】
【図１】本発明の一実施形態を表すコンテナの斜視図である。
【図２】同コンテナを飛行機の貨物室に格納した状態の正面図である。
【図３】同保冷容器の全体を表す縦断側面図である。
【図４】同保冷容器の本体を表し、（ａ）は長手方向の縦断面図、（ｂ）は短手方向の縦断面図である。
【図５】同保冷容器の蓋を表し、短手方向の縦断面図である。
【図６】同保冷容器を表し、（ａ）は下段の保冷容器に上段の保冷容器を積み重ねる直前の平面図、（ｂ）は下段と上段の保冷容器の低減手段の関係を表す平面図、（ｃ）は容器本体の一部を省略した側面図である。
【図７】同下段の保冷容器と上段の保冷容器の段積み状態を現す短手方向の縦断面図である。
【発明を実施するための形態】
【００１９】
以下、本発明の保冷容器及びコンテナの一実施形態を説明する。この実施形態における保冷容器にはマグロ等の大型魚が収納され、コンテナは複数の保冷容器を収蔵可能である。そしてコンテナは飛行機の貨物室に格納されて、目的の空港まで空輸される。
【００２０】
まず、本発明の実施形態に係るコンテナの構成を、図１及び図２に基づいて説明する。コンテナ１は、飛行機の貨物室２に着脱自在に格納され、定まった規格サイズに形成されている。具体的な規格は、ＬＤ−３規格である。この場合のコンテナ１は、左右対称形状のものが貨物室２に左右に並べられて格納されるから、１つのコンテナ１の構成の説明をもって他のコンテナ１の説明を兼用する。
【００２１】
コンテナ１は、前面が矩形の開口部とされたコンテナ本体（外筐）１Ａを備えている。コンテナ本体１Ａは、底壁（下段壁に相当する）３と、底壁３の幅方向左右端部からそれぞれ立ち上がる右側壁４及び左側壁５と、底壁３の後端部から立ち上がる後壁６と、底壁３と平行に配置された天壁７とから構成されている。
【００２２】
左側壁５（一方の側壁）は、底壁３から上部ほど幅方向外側へ傾斜した傾斜壁部８と、傾斜壁部８の上端から垂直に立ち上がる縦壁部９とから一体的に形成されている。右側壁４（他方の側壁）は、底壁３から垂直に立ち上げられている。したがって、コンテナ１を正面視すると、底壁３と天壁７が平行で、縦壁部９と右側壁４が平行な五角形に観て取られる。底壁３は所定の高さを有して平坦に形成された矩形形状の上面３ａが、後に詳述する保冷容器２０を載置する部分である。なお、底壁３の前面に、図示しないフォーク・リフトの爪（フォーク）が挿入される挿入口３ｂが形成されている。
【００２３】
傾斜壁部８と縦壁部９の境界部（底壁３から所定高さだけ上）に、底壁３と平行で幅方向に所定幅を有した段壁（上段壁に相当する）１０が左側壁５に固定された形態で配設されている。段壁１０は、傾斜壁部８を三角形の斜辺とすると、該三角形の垂辺に相当する幅に形成されている。そして、段壁１０を前側で覆う被覆壁部１１が開口部の一部（左側）に配設されている。被覆壁部１１は段壁１０の左右幅に等しい幅に形成されている。被覆壁部１１によって開口部は正面視して矩形に形成されている。段壁１０は、その上面が載置面１１ａであり、載置面１１ａは保冷容器２０を載置するのに用いられる。
【００２４】
前記保冷容器２０を、図３ないし図７に基づいて説明する。保冷容器２０は、養殖マグロ等の大型魚Ｆを収容して保冷した状態でコンテナ１の収蔵空間１００に複数個収蔵され、空輸に供される。なお、大型魚Ｆは、３０ｋｇから１５０ｋｇまでの重量の魚を対象としており、特に５０ｋｇから１００ｋｇまでの重量の大型魚Ｆが主な対象となる。
【００２５】
収蔵空間１００に収蔵される各保冷容器２０は同一の構成であり、同一形状・同一サイズであるから、１個の保冷容器２０の構成の説明をもって他の保冷容器２０の説明に兼用する。
【００２６】
保冷容器２０は、容器本体２１と容器本体２１に着脱自在な蓋体２２とからなる。保冷容器２０は、容器本体２１に蓋体２２を装着した状態で直方体形状であり、図３及び図４に示すように、その長手寸法Ｌ１、短手寸法（幅）Ｌ２、丈寸法（高さ）Ｌ３は、コンテナ１の内部である収蔵空間１００に複数個、整然と収蔵することのできる所定寸法に設定されている。具体的に長手寸法Ｌ１＝１４００ｍｍ，短手寸法Ｌ２＝５５０ｍｍ，丈寸法Ｌ３＝４５０ｍｍに設定されている。
【００２７】
保冷容器２０の長手寸法Ｌ１は、コンテナ１の底壁３の上面３ａの奥行き寸法に比べてわずかに小さく設定されている。保冷容器２０の短手寸法Ｌ２は、ｎ個の保冷容器２０を底壁３の上面３ａに幅方向に配列した状態で、隣り合う保冷容器２０（後述する容器群）との間、及び保冷容器２０と右側壁４との間のそれぞれに、作業者の手が挿入できる第一隙間２３が形成可能に設定されている。
【００２８】
しかも保冷容器２０は、収蔵空間１００にｎ＋１個の配列をすることができない寸法に設定されている。換言すれば、第一隙間２３の合計は、１個の保冷容器２０の短手寸法Ｌ２より小さい値である。好ましくはＬ２／２より小さい値である。また、保冷容器２０の短手寸法Ｌ２は、段壁１０（載置面１１ａ）の正面幅寸法に比べて大きく設定され、且つ大型魚Ｆを収納して載置面１１ａに載置した際に段壁１０から崩れ落ちない値に設定されている。具体的には、保冷容器２０の短手寸法Ｌ２は、段壁１０の正面幅寸法との関係では、Ｌ２／２＜段壁１０の正面寸法＜Ｌ２に設定されている。
【００２９】
保冷容器２０の丈寸法Ｌ３は、ｍ個の保冷容器２０をコンテナ１の底壁３の上面３ａに段積みした状態で、最上段の保冷容器２０の蓋体２２の上面である蓋面２２ａから天壁７の間に第二隙間２４が形成される値である。この第二隙間２４は１個の保冷容器２０の丈寸法Ｌ３より小さい値である。また、保冷容器２０の丈寸法Ｌ３は、コンテナ１の底壁３の上面３ａから段壁１０の載置面１１ａまでの距離に比べて大きく設定されている。さらに、保冷容器２０の丈寸法Ｌ３は、段壁１０の載置面１１ａにｍ−１個の保冷容器２０を段積み可能であり、段壁１０に段積みされた最上段の保冷容器２０の蓋体２２の蓋面２２ａから天壁７の間に第三隙間２５が形成される値である。この第三隙間２５は１個の保冷容器２０の丈寸法Ｌ３より小さい値であり、第二隙間２４とは異なる値（第二隙間２４より大きい）である。
【００３０】
次に、保冷容器２０の構成を具体的に説明する。前述したように、保冷容器２０は、容器本体２１と容器本体２１に着脱自在な蓋体２２とからなり、容器本体２１及び蓋体２２は何れも発泡合成樹脂よりなる。図３及び図４に示すように、容器本体２１は、マグロ、ブリ等の大型魚Ｆを上面開口部から収容することができる箱型状に形成されている。容器本体２１は、平面視（底面視も同様）略長方形状に形成され、大型魚Ｆを載せる載置面を備えた底部２６と、底部２６の一対の長辺である左右の縁部に上方に向けて立設された左右の側部２７，２７と、底部２６の一対の短辺である前後の縁部から上方に向けて立設された前後の側部２８，２８とを備えている。
【００３１】
これら４つの側部２７，２８の上部に大型魚Ｆを出し入れするための上面開口部が形成されている。前後の側部２８，２８の内面には、大型魚Ｆの頭部又は尾部が当たる部分に、発泡合成樹脂より硬質の板材で形成した補強板２９が着脱可能に保持されている。補強板２９は、前後の側部２８，２８の底部から上方の所定位置まで内方へ突出して形成された保持部３０によって着脱可能に保持されている。左右の側部２７，２７及び前後の側部２８，２８の上端面、即ち、容器本体２１の上端面には、内縁全周に亘って上向きに突出する嵌合枠３１が形成されている。容器本体２１の左右の側壁の前後方向一端寄りのそれぞれに、上下方向に長い切欠きＲが形成されている（図６（ｃ）参照）。
【００３２】
容器本体２１の底面に、周方向全周に沿って同一幅に形成された偏平面の外周凹部２１Ａが形成されている。また、外周凹部２１Ａの内側に、下方（外方）に突設される被案内突条３５が形成されるとともに、被案内突条３５の内側に、被案内突条３５の長手方向一端側を残して長手方向他端側に開放するように切欠いた、凹部２１Ｂが形成されている。この被案内突条３５は、後述する蓋体２２に形成された突出案内部３４，３４に幅方向内側で嵌合する部分である。被案内突条３５は、容器本体２１の長手方向に沿って同一幅で延びる左右一対の第一突起部３６，３６と、これら第一突起部３６，３６を一端どうしで連結する第二突起部３７とからなり、凹部２１Ｂが形成されることで、被案内突条３５は平面視してコの字形状に構成されている（図６（ａ）参照）。そして、外周凹部２１Ａの上面と凹部２１Ｂの上面とは面一（同じ高さ）である。なお、図６（ａ）は便宜上底面図を描いているだけで、実際に容器本体２１を蓋体２２に段積みする際には、容器本体２１は上下を反対にする。
【００３３】
第一突起部３６，３６の前端部は、容器本体２１の前端部から後方に位置ずれして配置され、第一突起部３６，３６の後端部は容器本体２１の後端面から前方に位置ずれして配置されている。被案内突条３５の、容器本体２１の底面からの突出高さは均一に設定されている。
【００３４】
図５ないし図７に示すように、蓋体２２は、底面（下面）が開口した箱状に形成され、下端面の外縁全周に亘って下向きに突出する被嵌合枠３２が形成されている。蓋体２２は、被嵌合枠３２を容器本体２１の嵌合枠３１の外側に嵌合することによって、容器本体２１に取り外し可能に取付けられる。蓋体２２の蓋面２２ａの左右両側部分に、上方に突出する左右一対の前記突出案内部３４，３４が形成されている。
【００３５】
蓋体２２の蓋面２２ａに、１組の平行で同幅の保持突起４０，４０からなる突起群３８，３９が、前後に所定間隔だけ離間して配置されている。各突起群３８，３９における保持突起４０，４０どうしの離間間隔は、前記第二突起部３７の前後幅よりわずかに大きく設定されている。そして、それぞれの突起群３８，３９において、前後方向外側に配置された保持突起４０，４０はその端面が、蓋体２２の側面と面一となる位置に配置されている。
【００３６】
各突起群３８，３９の、蓋面２２ａからの突出高さ（突出量）は、突出案内部３４，３４の、蓋面２２ａからの突出高さに比べて小さく設定されている。そして突出案内部３４，３４の突出高さは、被案内突条３５の、容器本体２１の底面からの突出高さに比べてわずかに大きく設定されている。なお、突起群３８，３９は前後一対で配置していることにより、容器本体２１に対する蓋体２２の前後の方向性が特定されない構成になっている。
【００３７】
また、各突起群３８，３９（保持突起４０）は、突出案内部３４，３４の間にあって、突出案内部３４，３４から所定間隔だけ左右方向に離間して配置されている。突出案内部３４，３４の内端面から突起群３８，３９の外端面までの離間間隔は、第一突起部３６，３６の左右幅よりわずかに大きく設定されている。
【００３８】
保冷容器２０は、下段の保冷容器２０に対して上段の保冷容器２０を摺動させて積むようにし、上段の保冷容器２０を下段の保冷容器２０に対して摺動させて降ろすようにする。
【００３９】
上記構成の保冷容器２０は、大型魚Ｆを収納した状態で、飛行機の貨物室２に格納されるコンテナ１の収蔵空間１００に収蔵されるもので、収蔵空間１００を形成する底壁３の幅方向に複数列配列され、且つ配列毎に高さ方向に複数段だけ段積みされる。すなわち、収蔵空間１００に最大限だけ配列され、配列毎に最大限だけ段積みされた状態で、各配列を構成する段積みされた前記容器群の幅方向両側に、作業者の手を挿入可能な隙間を形成した状態で空輸に供される。この実施形態におけるコンテナ１は段壁１０を備えているから、保冷容器２０は段壁１０にも段積みされる。
【００４０】
以下、上記構成の保冷容器２０を用いた空輸方法を具体的に説明する。保冷容器２０に大型魚Ｆを収容してコンテナ１に収蔵するには、まず作業者は、段壁１０の載置面１１ａに保冷容器２０を載置し、この保冷容器２０を下段の保冷容器２０として、下段の保冷容器２０に上段の保冷容器２０を段積みすることで、第一容器群２０Ａとする（図１及び図２参照）。
【００４１】
このとき作業者は、下段の保冷容器２０に上段の保冷容器２０を前後方向で略位置合わせをし、上段の保冷容器２０を側方（左側壁５側）に押し遣ると、第一突起部３６，３６が突起群３８，３９と突出案内部３４，３４の間に挿入（嵌合）され、第二突起部３７が突起群３８の保持突起４０，４０の間に挿入（嵌合）されて、上段の保冷容器２０が下段の保冷容器２０に対して位置決め保持される。
【００４２】
そして、前述したように、Ｌ２／２＜段壁１０の正面寸法＜Ｌ２であるから、保冷容器２０に大型魚Ｆを収納して載置面１１ａに載置した際に、段壁１０から崩れ落ちない。そしてこの実施形態では、段壁１０には、保冷容器２０は２段（ｍ個）だけ段積みでき、段壁１０に２段だけ段積みした１列の第一容器群２０Ａができ、上段の保冷容器２０の蓋体２２と天壁７との間には、第三隙間２５が形成される。
【００４３】
なお、被覆壁部１１は段壁１０の左右幅に等しい幅に形成されており、保冷容器２０の短手寸法Ｌ２は、段壁１０の正面幅寸法に比べて大きく設定されているから、段壁１０に保冷容器２０を載置すると、各保冷容器２０の一部（左側）が被覆壁部１１によって覆われ、各保冷容器２０の一部（右側）は被覆壁部１１から露出する。
【００４４】
作業者は、段壁１０に保冷容器２０を段積みした後は、底壁３の上面３ａに保冷容器２０を左右方向に配列する。そして、各列の下段の保冷容器２０に、それぞれ保冷容器２０を段積みすることで、第二容器群２０Ｂ及び第三容器群２０Ｃとする。この実施形態では、底壁３の上面３ａに載置できる保冷容器２０は２列（ｎ個）であり、各列に３段（ｍ＋１個）の段積みが可能である。したがって保冷容器２０は、コンテナ１の収蔵空間１００には、段壁１０に段積みされた保冷容器２０と合わせて３列の配列ができ、収蔵空間１００には、合計８個の保冷容器２０が整然と収蔵できる。
【００４５】
底壁３の上面３ａに保冷容器２０を配列し、各列の下段の保冷容器２０にさらに保冷容器２０を段積みするとき、作業者は、下段の保冷容器２０の蓋体２２の突出案内部３４，３４の上面に、上段の容器本体２１の底面の外周凹部２１Ａ（その左右両側部分）が左右方向で一致するよう略位置合わせして、上段の保冷容器２０前方に押し込むようにする。
【００４６】
そして、突出案内部３４，３４の、蓋面２２ａからの突出高さは、容器本体２１の底面からの被案内突条３５の突出高さに比べてわずかに大きく設定され、外周凹部２１Ａの上面は凹部２１Ｂの上面と面一であるから、上段の保冷容器２０前方に押し込むと、外周凹部２１Ａの上面と突出案内部３４，３４とが摺接する。また、第一突起部３６，３６は突出案内部３４，３４と突起群３８（３９）との間に入って案内される一方で、第一突起部３６，３６と蓋面２２ａとは接触（摺接）せず、凹部２１Ｂの上面と保持突起４０，４０の上面もまた、接触しない。（図７参照）。このように、前述の凹部２１Ｂを形成していることで、下段の保冷容器２０にさらに保冷容器２０を段積みするために作業者が上段の保冷容器２０前方に押し込む際に、下段の保冷容器２０の蓋体２２と上段の保冷容器２０の容器本体２１とが摺接する面積を、著しく減らしている。つまり、凹部２１Ｂが摩擦を低減する摩擦低減手段となって、下段の保冷容器２０に対して上段の保冷容器２０を摺動させる人為操作力が小さくて済み、上段の保冷容器２０を容易に移動させることができる。さらに作業者は、容器本体２１に形成された切欠きＲに手を掛けて、容器本体２１を移動させることも可能である。
【００４７】
そして、第一突起部３６，３６が突出案内部３４，３４と突起群３８（３９）との間に入ることで、下段の保冷容器２０に対して上段の保冷容器２０が左右方向で位置決め保持され、上段の保冷容器２０を前方に押し遣ると、第二突起部３７が突起群３８の保持突起４０，４０間に挿入されて、上段の保冷容器２０が下段の保冷容器２０に対して前後方向に位置決め保持される。
【００４８】
このようにして、底壁３の上面３ａに、各列３段の保冷容器２０からなる第二容器群２０Ｂ及び第三容器群２０Ｃが左右に並べられると、第二容器群２０Ｂ及び第三容器群２０Ｃの間には、作業者の手が挿入できる第一隙間２３が形成される。また、第二容器群２０Ｂ及び第三容器群２０Ｃにおける最上段の保冷容器２０の蓋面２２ａと天壁７との間には、１個の保冷容器２０の丈寸法Ｌ３より小さい第二隙間２４が形成される。
【００４９】
また、保冷容器２０のサイズは、収蔵空間１００に最大限だけ配列し配列毎に最大限だけ段積みした状態で、各配列を構成する第一容器群２０Ａないし第三容器群２０Ｃのそれぞれの幅方向両側に、作業者の手を挿入可能な第一隙間２３が形成されるのであるから、収蔵空間１００に保冷容器２０を収蔵する作業中であっても、第一隙間２３となる余裕空間が生じている。この第一隙間２３は収蔵空間１００に保冷容器２０を収蔵する作業中であっても第一隙間２３よりも狭くなることはない。このため作業者は、空間的余裕をもって保冷容器２０を収蔵空間１００に収蔵することができる。
【００５０】
上記のようにしてコンテナ１の収蔵空間１００に収蔵された保冷容器２０は、コンテナ１の底壁３の挿入口３ｂにフォーク・リフトの爪が挿入されて、フォーク・リフト等により飛行機の貨物室２に格納され、目的の空港まで空輸される。
【００５１】
段積みされた保冷容器２０どうしは、特に左右方向の位置ずれを防止されている。仮に、空輸時の振動によって下段の保冷容器２０に対して上段の保冷容器２０が左右方向に位置ずれしたとしても、第一隙間２３の合計は、１個の保冷容器２０の短手寸法Ｌ２より小さい値であり、第二隙間２４は１個の保冷容器２０の丈寸法Ｌ３より小さい値であり、第三隙間２５は１個の保冷容器２０の丈寸法Ｌ３より小さい値であるから、大きく荷崩れしない。
【００５２】
飛行機が目的の空港に到着すると、フォーク・リフト等によってコンテナ１は貨物室２から取り出され、各保冷容器２０は作業者によって収蔵空間１００から出される。この場合、保冷容器２０は上段から順に取り出される。作業者が保冷容器２０を収蔵空間１００から取り出すには、容器本体２１の切欠きＲに手を掛けて引き出すようにするが、これに先立ち、上段の保冷容器２０の後部をやや持ち上げるように試みる。そうすると、突起群３９の保持突起４０，４０間に挿入されている第二突起部３７が蓋体２２の蓋面２２ａから浮き、上段の保冷容器２０の下段の保冷容器２０に対する位置決めが解除される。したがって、上段の保冷容器２０を下段の保冷容器２０に対して容易に引き出すことができる。
【００５３】
そして、特に、隣り合う第二容器群２０Ｂと第三容器群２０Ｃの間、第三容器群２０Ｃと右側壁４との間には第一隙間２３が形成されており、作業者は第一隙間２３に手を挿入できるから、第一隙間２３を利用することで、第二容器群２０Ｂあるいは第三容器群２０Ｃから保冷容器２０の荷降ろしを容易に行える。
【００５４】
本発明は上記実施形態に限られるものではなく、本発明の主旨を逸脱しない範囲で種々変形が可能である。その他、各部の具体的構成についても同様である。上記実施形態におけるコンテナ１の形状は、底壁３と天壁７が平行、縦壁部９と右側壁４が平行で、傾斜壁部８を備えた五角形の場合で説明した。しかしながら、コンテナ１はこの形状に限定されず、正面視して矩形（長方形、正方形）であってもよい。
【００５５】
具体的には、段壁１０、傾斜壁部８及び被覆壁部１１を有さず、左右の側壁が平行な矩形であり、収蔵空間は直方体形状であるコンテナ（例えば、Ｍ−１規格、ＬＤ−４規格、ＬＤ−９規格）を利用することも可能である。この場合でも、保冷容器は、底壁の上面に左右に最大列に配列し最大に段積みした状態で、各容器群の左右両側に作業者の手が挿入でき、合計が１個の保冷容器の短手より小さい隙間が生じる寸法であればよい。また、最上段の保冷容器と天壁との間に、１個の保冷容器の丈寸法より小さい隙間があれば好ましい。
【００５６】
さらに別の形状のコンテナを利用することも可能である（例えばＬＤ−６規格、ＬＤ−８規格）。具体的には、段壁、傾斜壁部、被覆壁部を左右双方に備えた形状である。何れの形状のコンテナであっても、保冷容器は、底壁の上面に左右に最大列に配列し最大に段積みし、段壁に最大限に段積みした状態で、各容器群の左右両側に作業者の手が挿入でき、合計が１個の保冷容器の短手より小さい隙間が生じる寸法であればよい。また、最上段の保冷容器と天壁との間に、１個の保冷容器の丈寸法より小さい隙間があれば好ましい。
【００５７】
上記実施形態では、第一容器群２０Ａ、第二容器群２０Ｂ、及び第三容器群２０Ｃのそれぞれの左右両側に作業者の手が挿入できる第一隙間２３が形成される場合で説明したが、これら容器群の左右両側のうちの一方に作業者の手が充分に挿入できる第一隙間が形成されるようにしてもよい。
【００５８】
また、上記実施形態は、容器群として第一容器群２０Ａ、第二容器群２０Ｂ、及び第三容器群２０Ｃの３列で、２段あるいは３段の段積みの場合で説明したが、コンテナ（収蔵空間）のサイズに応じて、２列、あるいは４列以上で、２段、あるいは４段以上の容器群とすることも可能である。
【００５９】
さらに、上記実施形態では、保冷容器に大型魚Ｆを収容して空輸する例を説明したが、これに限定されず、大型魚Ｆを収容していない状態の単なる保冷容器であっても、上記と同様の形態の収蔵ができる。
【符号の説明】
【００６０】
１…コンテナ、２…貨物室、１０…段壁、２０…保冷容器、２０Ａ…第一容器群、２０Ｂ…第二容器群、２０Ｃ…第三容器群、２１…容器本体、２２…蓋体、２３…第一隙間、２４…第二隙間、２５…第三隙間、１００…収蔵空間、Ｆ…大型魚、Ｌ１…長手寸法、Ｌ２…短手寸法、Ｌ３…丈寸法
【図１】
2013023254.tif 000003
【図２】
2013023254.tif 000004
【図３】
2013023254.tif 000005
【図４】
2013023254.tif 000006
【図５】
2013023254.tif 000007
【図６】
2013023254.tif 000008
【図７】
2013023254.tif 000009